(57)【特許請求の範囲】
【請求項１】
上方から導入される第１排水を流入させる第１排水流入口と、側方から導入される第２排水を流入させる第２排水流入口と、流入された第１排水及び第２排水を流出させる受入側流出口と、を有する受入室と、
前記受入側流出口から流出された第１排水及び第２排水を流入させる流出側流入口と、前記流出側流入口よりも上方において水平方向に開口され前記流出側流入口から流入された第１排水及び第２排水を流出させる流出側流出口と、を有する流出室と、
第２排水が導入される導入路と、上流側が前記導入路に接続されると共に下流側が前記流出側流出口側に位置する第１分岐流路と、上流側が前記導入路に接続されると共に下流側が前記第２排水流入口に接続される第２分岐流路と、を有する第２排水流通路と、
前記受入室と前記流出室との間に着脱自在に配置され、該受入室と該流出室とを区画する区画部材と、を備え、
前記区画部材の上端部の高さは、前記流出側流出口の下端部の位置よりも高く、
前記区画部材は、前記受入室の壁部材のうちの前記受入側流出口の上方側の部分により構成されると共に、該区画部材の下方の縁部が、前記受入側流出口の上端部側の上方構成縁部により構成され、
前記第２分岐流路は、管状に形成され、前記区画部材に沿って上方に延びている排水トラップ。
【請求項２】
上方から導入される第１排水を流入させる第１排水流入口と、側方から導入される第２排水を流入させる第２排水流入口と、流入された第１排水及び第２排水を流出させる受入側流出口と、を有する受入室と、
前記受入側流出口から流出された第１排水及び第２排水を流入させる流出側流入口と、前記流出側流入口よりも上方において水平方向に開口され前記流出側流入口から流入された第１排水及び第２排水を流出させる流出側流出口と、を有する流出室と、
第２排水が導入される導入路と、上流側が前記導入路に接続されると共に下流側が前記流出側流出口側に位置する第１分岐流路と、上流側が前記導入路に接続されると共に下流側が前記第２排水流入口に接続される第２分岐流路と、を有する第２排水流通路と、
前記受入室と前記流出室との間に着脱自在に配置され、該受入室と該流出室とを区画する区画部材と、を備え、
前記区画部材の上端部の高さは、前記流出側流出口の下端部の位置よりも高く、
前記区画部材は、前記受入室の壁部材のうちの前記受入側流出口の上方側の部分により構成されると共に、該区画部材の下方の縁部が、前記受入側流出口の上端部側の上方構成縁部により構成され、
前記第２分岐流路は、前記区画部材と一体的に形成される排水トラップ。
【請求項３】
前記第１分岐流路は、前記導入路を流通する第２排水を、前記受入室を迂回して前記流出側流出口に案内するように延びており、
前記第２分岐流路は、前記導入路を流通する第２排水を、前記受入室の内部の上方において渦流を発生させるように、前記第２排水流入口に案内するように延びている請求項１又は２に記載の排水トラップ。
【請求項４】
前記受入室の内面は、略球面状である請求項１〜３のいずれかに記載の排水トラップ。
【請求項５】
前記第２排水流入口は、前記受入室の前記内面の接線方向に向けて第２排水を排出するように開口する請求項４に記載の排水トラップ。
【請求項６】
請求項１〜５のいずれかに記載の排水トラップと、浴槽と、洗い場と、を備える浴室であって、
前記第１排水は、前記洗い場から排出された洗い場排水であり、前記第２排水は、前記浴槽から排出された浴槽排水である浴室。
【発明の詳細な説明】
【技術分野】
【０００１】
本発明は、排水トラップ及びこれを備える浴室に関する。
【背景技術】
【０００２】
従来、排水流路に排水トラップを設ける技術が知られている（例えば、特許文献１参照）。排水トラップは、排水流路を封水により塞いで、臭気や害虫が室内へ侵入することを防止する。
【先行技術文献】
【特許文献】
【０００３】
【特許文献１】特許第３８８６０５５号公報
【発明の概要】
【発明が解決しようとする課題】
【０００４】
ところで、浴室を新たに設置するようなリフォームを行う場合、排水流路に新たな排水トラップを設けることがある。この場合に、新たな排水トラップを設けた排水流路において、既に排水トラップが設けられていることがある。このように、排水流路（配管）に直列に２個以上の排水トラップが存在する構造を、二重トラップ構造又はダブルトラップ構造という。二重トラップ構造（ダブルトラップ構造）が存在する場合には、排水の流れの抵抗が増大して、排水不良の原因となりやすい。そのため、二重トラップを解消する必要性が生じる。
【０００５】
二重トラップ構造（ダブルトラップ構造）を解消するためには、例えば、既設の排水トラップを取り除くか、新設の排水トラップを取り除く必要がある。しかしながら、既設の排水トラップや新設の排水トラップを取り除いて二重トラップ構造（ダブルトラップ構造）を解消するには、大掛かりな作業が必要となったり、余計な手間や費用も生じることになる。従って、簡単に、二重トラップ構造を解消できることが望まれる。
【０００６】
本発明は、簡単に、二重トラップ構造を解消できる排水トラップ及びこれを備えた浴室を提供することを目的とする。
【課題を解決するための手段】
【０００７】
本発明は、上方から導入される第１排水を流入させる第１排水流入口と、側方から導入される第２排水を流入させる第２排水流入口と、流入された第１排水及び第２排水を流出させる受入側流出口と、を有する受入室と、前記受入側流出口から流出された第１排水及び第２排水を流入させる流出側流入口と、前記流出側流入口よりも上方において水平方向に開口され前記流出側流入口から流入された第１排水及び第２排水を流出させる流出側流出口と、を有する流出室と、第２排水が導入される導入路と、上流側が前記導入路に接続されると共に下流側が前記流出側流出口側に位置する第１分岐流路と、上流側が前記導入路に接続されると共に下流側が前記第２排水流入口に接続される第２分岐流路と、を有する第２排水流通路と、前記受入室と前記流出室との間に着脱自在に配置され、該受入室と該流出室とを区画する区画部材と、を備え、前記区画部材の上端部の高さは、前記流出側流出口の下端部の位置よりも高い排水トラップに関する。
【０００８】
また、前記第１分岐流路は、前記導入路を流通する第２排水を、前記受入室を迂回して前記流出側流出口に案内するように延びており、前記第２分岐流路は、前記導入路を流通する第２排水を、前記受入室の内部の上方において渦流を発生させるように、前記第２排水流入口に案内するように延びていることが好ましい。
【０００９】
また、前記第２分岐流路は、管状に形成され、前記区画部材に沿って上方に延びていることが好ましい。
【００１０】
また、前記第２分岐流路は、前記区画部材と一体的に形成されることが好ましい。
【００１１】
また、前記受入室の内面は、略球面状であることが好ましい。
【００１２】
また、前記第２排水流入口は、前記受入室の前記内面の接線方向に向けて第２排水を排出するように開口することが好ましい。
【００１３】
また、本発明は、前記排水トラップと、浴槽と、洗い場と、を備える浴室であって、前記第１排水は、前記洗い場から排出された洗い場排水であり、前記第２排水は、前記浴槽から排出された浴槽排水である浴室に関する。
【発明の効果】
【００１４】
本発明によれば、簡単に、二重トラップ構造を解消できる排水トラップ及びこれを備えた浴室を提供することができる。
【図面の簡単な説明】
【００１５】
【図１】本発明の一実施形態に係る浴室１の全体構成を示す概略図である。
【図２】本発明の一実施形態に係る排水トラップ５の外観を示す斜視図である。
【図３】本発明の一実施形態に係る排水トラップ５を示す縦断面図である。
【図４】本発明の一実施形態に係る排水トラップ５を示す横断面図である。
【図５】本発明の一実施形態に係る排水トラップ５を示す斜視断面図である。
【図６】本発明の一実施形態に係る排水トラップ５から、区画プレート６５及び上昇管８３を取り外した状態を示す縦断面図である。
【図７】本発明の一実施形態に係る排水トラップ５から、区画プレート６５及び上昇管８３を取り外した状態を示す斜視断面図である。
【発明を実施するための形態】
【００１６】
以下、本発明の浴室１の好ましい一実施形態について、図面を参照しながら説明する。図１は、本発明の一実施形態に係る浴室１の全体構成を示す概略図である。
【００１７】
図１に示すように、本実施形態の浴室１は、浴槽２と、洗い場パン３と、排水枡３１と、排水トラップ５と、ヘアキャッチャー１１と、浴槽排水排出管１２と、外部導出排出管１３と、を備える。洗い場パン３と浴槽２との間には、仕切板４が立設されている。
【００１８】
浴槽２は、複数の脚部４２に支持された浴槽架台２３の上に、支持台２４を介して、設置されている。複数の脚部４２は、梁等に吊られた吊架台４３の上に立設され、浴槽架台２３及び洗い場床材４１（後述）を下方から支持している。
【００１９】
浴槽２の底部には、浴槽排水口２１が形成されている。浴槽排水口２１は、浴槽２から排出された浴槽排水（第２排水）を、浴槽２の外部に排出する。浴槽排水口２１の上部には、排水栓２２が着脱可能に取り付けられている。浴槽排水口２１には、浴槽排水排出管１２が接続されている。浴槽排水排出管１２においては、上流側の端部が浴槽排水口２１に接続され、下流側の端部が排水トラップ５に接続される。
【００２０】
洗い場パン３は、浴室１において、仕切板４に対して、浴槽２の反対側に配置される。洗い場パン３は、複数の脚部４２に支持された洗い場床材４１の上に配置される。洗い場パン３は、浴室１の洗い場を構成する。
【００２１】
洗い場パン３は、全体として板状に形成され、洗い場床材４１における洗い場領域の全体を覆うように形成される。洗い場パン３の上面の一部又は全部は、浴槽２側が下り勾配になるように傾斜している。洗い場パン３の上面は、洗い場床となっており、防水機能を有する。
【００２２】
洗い場パン３における浴槽２側には、排水枡３１が配置される。洗い場パン３及び排水枡３１は、一体的に形成される。
【００２３】
排水枡３１は、洗い場パン３から下方に窪む凹状に形成される。排水枡３１の上方は、開口している。排水枡３１には、洗い場パン３から、洗い場排水（第１排水）が導入される。排水枡３１の上部には、洗い場排水の排水流路が確保された状態で、排水口カバー３２が取り付けられている。排水枡３１の下端部には、洗い場排水口３３が形成されている。排水枡３１は、洗い場排水を、洗い場排水口３３を介して、排水トラップ５に排出する。
【００２４】
排水トラップ５は、排水枡３１の下方に配置される。排水トラップ５は、排水枡３１の洗い場排水口３３に連結されている。排水トラップ５は、浴槽排水排出管１２の下流側の端部に接続されている。排水トラップ５は、外部導出排出管１３の上流側の端部に接続されている。
【００２５】
排水トラップ５には、洗い場パン３からの洗い場排水が、排水枡３１を通り、洗い場排水口３３を介して、上方から流入される。排水トラップ５には、浴槽２からの浴槽排水が、浴槽排水排出管１２を通り、一方の側部から流入される。排水トラップ５の他方の側部には、外部導出排出管１３が接続されており、排水トラップ５は、外部導出排出管１３に、洗い場排水及び浴槽排水を排出する。
【００２６】
排水トラップ５の受入室６（後述、図３参照）の上部には、ヘアキャッチャー１１が着脱可能に装着されている。ヘアキャッチャー１１は、洗い場パン３から流れてきた髪の毛などの異物を受け止めて捕捉する。ヘアキャッチャー１１は、上方が開放したカゴ（籠）状に形成される。ヘアキャッチャー１１には、例えば、縦リブ（不図示）及び横リブ（不図示）により多数の小開口が形成されている。
【００２７】
次に、本発明の特徴部分である排水トラップの詳細について、図面を参照しながら説明する。図２は、本発明の一実施形態に係る排水トラップ５の外観を示す斜視図である。図３は、本発明の一実施形態に係る排水トラップ５を示す縦断面図である。図４は、本発明の一実施形態に係る排水トラップ５を示す横断面図である。図５は、本発明の一実施形態に係る排水トラップ５を示す斜視断面図である。図６は、本発明の一実施形態に係る排水トラップ５から、区画プレート６５及び上昇管８３を取り外した状態を示す縦断面図である。図７は、本発明の一実施形態に係る排水トラップ５から、区画プレート６５及び上昇管８３を取り外した状態を示す斜視断面図である。
【００２８】
図２〜図５に示すように、本実施形態に係る排水トラップ５は、受入室６と、流出室７と、配管接続管７８と、第２排水流通路としての浴槽排水流通管８と、を備える。
【００２９】
受入室６は、図３〜図５に示すように、壁部材の内面に囲まれることにより形成される。受入室６の内面は、略球面状である。なお、略球面状とは、全体としての概略形状が球面状であることを意味し、例えば、開口や、多少の凹凸、すなわち、後述する上昇管８３の出っ張りや、洗い場排水流入口６１の開口で球面形状が中断している場合も含まれる。
【００３０】
受入室６は、図３に示すように、第１排水流入口としての洗い場排水流入口６１と、第２排水流入口としての浴槽排水流入口６２と、受入側流出口としての連通口６３と、を有する。
洗い場排水流入口６１は、排水トラップ５の長手方向の一方側において、受入室６の上部に設けられる。洗い場排水流入口６１は、排水枡３１（図１参照）の洗い場排水口３３（図１参照）に連通する。洗い場排水流入口６１は、受入室６の上方から導入される洗い場排水（第１排水）を流入させる。
【００３１】
浴槽排水流入口６２は、受入室６の内面の上方に設けられる。浴槽排水流入口６２は、受入室６の側方から導入される浴槽排水（第２排水）を、浴槽排水流通管８（後述）の上昇管８３（後述）を通らせて、受入室６の内面の上方から流入させる。
【００３２】
浴槽排水流入口６２は、受入室６の略球面状の内面の接線方向の斜め上方に向けて洗い場排水を排出するように開口する。浴槽排水流入口６２は、封水面Ｆ（後述、図３参照）の高さよりも上方に位置する。
【００３３】
連通口６３は、図３に示すように、受入室６における流出室７（後述）側において、受入室６の内面の側方の下部に設けられる。連通口６３は、受入室６の壁部材を貫通して、受入室６と流出室７とを連通させる。連通口６３は、受入室６と流出室７との共通の開口である。つまり、連通口６３は、受入室６に流入された浴槽排水を流出室７（後述）に流出させる受入側流出口であり、且つ、受入室６から流出された浴槽排水を流出室７（後述）に流入させる流出側流入口でもある。
連通口６３は、受入室６に流入された洗い場排水及び浴槽排水を、流出室７に流出させる。
【００３４】
連通口６３は、図４及び図５に示すように、上方の外郭を形成する上方構成縁部６３１と、下方の外郭を形成する下方構成縁部６３２と、で構成される貫通孔である。
上方構成縁部６３１は、図４及び図５に示すように、受入室６の壁部材における上方側に略円弧状に窪む縁部である。上方構成縁部６３１は、後述する区画プレート６５における下方に形成される略円弧状に窪む縁部でもある。上方構成縁部６３１の上端部は、連通口６３の上端部であり、封水面Ｆ（後述、図３参照）の高さよりも下方に位置する。
【００３５】
下方構成縁部６３２は、図４及び図５に示すように、受入室６の壁部材おける下方側に略円弧状に窪む部分であって、上方構成縁部６３１よりも緩やかな円弧曲線（上方構成縁部６３１の円弧の径よりも大きな円弧の径の円弧曲線）である。下方構成縁部６３２は、後述する区画プレート６５が受入室６から取り外された場合に形成されるトラップ解除開口６８（後述、図６及び図７参照）の下方の周縁部でもある。
【００３６】
受入室６の壁部材は、図３に示すように、区画部材としての区画プレート６５を有する。区画プレート６５は、受入室６と流出室７（後述）との間に、着脱自在に配置されている。区画プレート６５は、受入室６と流出室７とを区画する。
【００３７】
区画プレート６５は、図４及び図５に示すように、受入室６の壁部材のうちの連通口６３側の壁部材の一部を円形状に切り取った湾曲円形状の部分から、下部において、連通口６３に対応する部分が切り取られた湾曲板状の部分により形成される。区画プレート６５が受入室６の壁部材を切り取った形状であるため、区画プレート６５の内面の湾曲面の曲率は、受入室６の内面の球面形状の湾曲面の曲率と同じである。区画プレート６５の下方の縁部は、連通口６３の上端部側の上方構成縁部６３１でもある。
【００３８】
図３に示すように、区画プレート６５の上端部６５１の高さＴは、区画プレート６５を受入室６から取り外した場合に、後述する二重トラップを解消するという観点から、封水面Ｆ（後述、図３参照）の高さよりも上方において、通気空間を十分に確保することが好ましい。そのため、区画プレート６５の上端部６５１の高さＴは、排水流出口７２（後述）の下端部７２１の位置よりも高いことが好ましい。
【００３９】
なお、排水流出口７２（後述）の下端部７２１の位置は、封水壁７４２（後述）の上端部７４２ａの高さと同じ位置である。そのため、封水壁７４２（後述）の上端部７４２ａの位置との関係においても、区画プレート６５の上端部６５１の高さＴは、封水壁７４２（後述）の上端部７４２ａの位置よりも高いことが好ましい。
【００４０】
また、区画プレート６５の上端部６５１の高さＴは、区画プレート６５を受入室６から取り外した場合に、通気空間を十分に確保できることが更に好ましい。そのため、区画プレート６５の上端部６５１の高さＴは、上面段差板７５４（後述）における受入室６側の第１上面水平板７５４ａ（後述）の下面と、排水流出口７２（後述）の下端部７２１と、の高さ方向の中央位置Ｃよりも高いことが更に好ましい。第１上面水平板７５４ａは、受入室６の上部から連続して水平方向に、流出室７側に延びている。
【００４１】
区画プレート６５の外周縁部の側面には、不図示の係合溝が形成されている。受入室６の壁部材における区画プレート６５が取り付けられる部分の縁部の側面には、区画プレート６５を係合可能な不図示の係合溝が形成されている。区画プレート６５は、受入室６の壁部材に対して回転することで係合されて又は係合が解除されて、受入室６の壁部材に対して着脱可能である。
【００４２】
浴槽排水流通管８は、浴槽排水を排水トラップ５に流入させると共に、浴槽排水を受入室６を迂回させて外部へ排出する。浴槽排水流通管８は、図３に示すように、導入路としての導入管８１と、第１分岐流路としてのバイパス管８２と、第２分岐流路としての上昇管８３と、を有する。導入管８１、バイパス管８２及び上昇管８３は、管状に形成される。
【００４３】
導入管８１は、図３及び図５に示すように、受入室６の下部の外方において、排水トラップ５が延びる方向に沿って水平方向に延びて、排水トラップ５に導入されている。導入管８１は、平面視において、図４に示すように、排水トラップ５の幅方向の一端部側において、受入室６の球面状の内面の接線方向に延びて、排水トラップ５に導入されている。導入管８１には、浴槽２（図１参照）からの浴槽排水が、浴槽排水排出管１２を通って導入される。
【００４４】
導入管８１は、図５に示すように、バイパス管８２及び上昇管８３に分岐される。導入管８１により導入された浴槽排水は、バイパス管８２と、上昇管８３と、に分岐されて流通する。
【００４５】
バイパス管８２は、図４及び図５に示すように、上流側が導入管８１に接続されると共に、下流側が排水流出口７２側に位置する。バイパス管８２は、導入管８１を流通する浴槽排水を、受入室６を迂回して、排水流出口７２に案内するように延びている。バイパス管８２は、図３に示すように、導入管８１から受入室６の下部の外方を通って水平に延在し、流出室７の内部に入って流出室７の筒状底板部７４１に沿って水平に延び、封水壁７４２において上方側に屈曲し、封水壁７４２に沿って所定長さ上方に延び、排水流出口７２において水平方向に湾曲して、端部８２１が、排水流出口７２の近傍に位置して、流出室７における合流部７７（後述）に向けて開口している。
【００４６】
上昇管８３は、図５に示すように、上流側が導入管８１に接続されると共に、下流側が第２排水流入口６２に接続される。上昇管８３は、導入管８１を流通する浴槽排水を、受入室６の内部の上方において渦流を発生させるように、浴槽排水流入口６２に案内するように延びている。
【００４７】
上昇管８３は、図３〜図５に示すように、区画プレート６５と一体的に形成される。上昇管８３は、管状に形成され、受入室６の下部から、区画プレート６５に沿って斜め上方に向かうように湾曲して延びている。上昇管８３は、区画プレート６５を厚さ方向に跨ぐように、区画プレート６５に埋め込まれて形成されている。上昇管８３の上端部には、浴槽排水流入口６２が形成されている。浴槽排水流入口６２は、区画プレート６５の内面において、受入室６の内部側に開口する。
【００４８】
上昇管８３と区画プレート６５とは、一体的に、受入室６と流出室７との間に着脱自在に配置される。上昇管８３及び区画プレート６５が、受入室６と流出室７との間から取り外された場合には、図６及び図７に示すように、導入管８１がバイパス管８２と上昇管８３とに分岐する部分において、浴槽排水流通管８には、連結部開口８１２が形成される。上昇管８３及び区画プレート６５を受入室６と流出室７との間に取り付ける場合には、導入管８１の下端部を、連結部開口８１２に取り付ける。
【００４９】
流出室７は、図３〜図５に示すように、区画プレート６５を挟んで、受入室６と反対側に形成される。流出室７は、連通口６３を介して受入室６と連通する。流出室７には、連通口６３を介して、受入室６から、洗い場排水及び浴槽排水が流入される。
【００５０】
流出室７は、図３に示すように、封水部７４と、上方空間部７５と、流出側流入口としての連通口６３と、流出側流出口としての排水流出口７２と、を有する。
【００５１】
連通口６３は、流出室７における受入室６側において、流出室７の内面の側方の下部に設けられる。連通口６３は、受入室６の壁部材を貫通して、受入室６と流出室７とを連通させる。連通口６３は、前述の通り、受入室６の受入側流出口でもあり、且つ、後述する流出室７の流出側流入口でもある。
連通口６３は、受入室６から連通口６３通して流出された洗い場排水及び浴槽排水を、流出室７に流入させる。
【００５２】
封水部７４は、図３に示すように、流出室７における下方の部分である。封水部７４は、流出室７の下方において、連通口６３を介して、受入室６と連通する。封水部７４は、底部に設けられる半筒状の筒状底板部７４１と、筒状底板部７４１から所定高さで立設された封水壁７４２と、区画プレート６５における封水壁７４２の上端部７４２ａから下方の部分と、連通口６３と、に囲まれる部分である。
【００５３】
封水部７４には、図３に示すように、洗い場排水及び浴槽排水が封水面Ｆまで溜まり、封水面Ｆまで溜まった洗い場排水及び浴槽排水は、封水となる。封水面Ｆは、封水壁７４２の上端部７４２ａから受入室６側に水平方向に延びる仮想面である。連通口６３は、封水面Ｆよりも下方に位置して、封水の中に没する。
【００５４】
上方空間部７５は、図３に示すように、封水部７４の上方に、封水部７４に連続して形成される。上方空間部７５は、封水部７４の上方から、受入室６とは反対側に、水平方向に延びる。上方空間部７５は、封水部７４と上面段差板７５４との間の部分から、下面板７５１と上面段差板７５４との間の部分までと、一対の排出口側面板７５３（図４参照）とに囲まれる部分である。上面段差板７５４は、第１上面水平板７５４ａと、上面傾斜板７５４ｂと、第２上面水平板７５４ｃと、を有する。
【００５５】
第１上面水平板７５４ａは、受入室６の洗い場排水流入口６１の上端部から流出室７側に連続して水平に延びる。上面傾斜板７５４ｂは、第１上面水平板７５４ａにおける受入室６とは反対側の端部から、排水流出口７２に向かうにしたがって下方から上方に向かうように傾斜して延びる。第２上面水平板７５４ｃは、上面傾斜板７５４ｂにおける第１上面水平板７５４ａとは反対側の端部から、水平に延びる。
【００５６】
下面板７５１は、板状に形成され、封水壁７４２の上端部７４２ａから受入室６とは反対側に水平に延びる。一対の排出口側面板７５３は、板状に形成され、上方空間部７５の側部を塞ぐように配置される。
【００５７】
上方空間部７５における排水流出口７２側の端部には、合流部７７が形成される。合流部７７は、水平方向において、バイパス管８２の下流側の端部８２１から、上方空間部７５における下流側の端部までの部分である。合流部７７には、バイパス管８２から流出する浴槽排水と、上方空間部７５を流通する洗い場排水及び浴槽排水と、が合流する。
【００５８】
排水流出口７２は、上方空間部７５の下流側の合流部７７の端部から、受入室６とは反対側の側方に連続して形成される。排水流出口７２は、管状の配管接続管７８に囲まれる部分である。配管接続管７８は、合流部７７の開口面積よりも小さい開口面積で、合流部７７から延在する。排水流出口７２の下端部７２１の位置は、封水壁７４２の上端部７４２ａの高さと同じ位置である。
【００５９】
配管接続管７８は、上方空間部７５における受入室６とは反対側の端部から、受入室６とは反対側に延びている。配管接続管７８は、排水トラップ５と外部導出排出管１３とを接続する接続部である。配管接続管７８には、外部導出排出管１３が差し込まれて接着されて接続される。
【００６０】
排水流出口７２は、連通口６３から流出室７に流入された洗い場排水及び浴槽排水を、排水トラップ５の外部へ流出させる。排水流出口７２は、図３に示すように、連通口６３よりも上方において、排水トラップ５の外方に向けて、水平方向に開口する。連通口６３から流出室７に流入された洗い場排水及び浴槽排水は、封水面Ｆを超えた場合に、流出室７の上方空間部７５に流入して、排水流出口７２により、排水トラップ５の外部へ流出される。
【００６１】
次に、本発明に係る排水トラップ５について、区画プレート６５を受入室６と流出室７との間に取り付けた場合と、区画プレート６５を受入室６と流出室７との間から取り外した場合と、における作用について説明する。
【００６２】
まず、区画プレート６５を受入室６と流出室７との間に取り付けた場合について説明する。この場合、排水トラップ５は、封水を溜めて排水流路を塞ぐ機能と、渦流を発生させる機能と、を有する。
【００６３】
まず、排水トラップ５において、封水を溜めて排水流路を塞ぐ機能について説明する。
図１及び図３に示すように、洗い場パン３（図１参照）から排出された洗い場排水は、ヘアキャッチャー１１（図１参照）を通過して受入室６の内部に流入する。浴槽２からの浴槽排水は、浴槽排水口２１及び浴槽排水排出管１２を通って、排水トラップ５に導入される。排水トラップ５（図３参照）に導入された浴槽排水は、浴槽排水流入口８１１、導入路８１、上昇管８３及び浴槽排水流入口６２を通って受入室６に流入する。
【００６４】
受入室６に流入した洗い場排水及び浴槽排水は、連通口６３、流出室７及び排水流出口７２を通って、外部導出排出管１３に流出される。洗い場排水や浴槽排水の流出が停止すると、受入室６及び流出室７の内部には、封水面Ｆ（図３参照）まで封水が溜まる。封水面Ｆに溜まった封水の内部には、連通口６３が位置するため、排水流路が封水により塞がれる。これにより、浴室１に、外部導出排出管１３からの臭気が逆流することが防止される。また、浴室１に、害虫等が侵入することが防止される。
【００６５】
次に、排水トラップ５において、渦流を発生させる機能について説明する。
図１及び図３に示すように、浴槽２（図１参照）の排水栓２２（図１参照）が開けられると、浴槽２から排出された浴槽排水は、浴槽排水排出管１２（図１参照）を通り、浴槽排水流入口８１１から、排水トラップ５の内部に流入される。そして、浴槽排水は、上昇管８３を通って、浴槽排水流入口６２を介して、受入室６の内部の上方に流入される。受入室６の内部の上方に流入された浴槽排水は、受入室６の上方において内周面に沿って旋回して渦流となり、発生した渦流は、上昇渦流となり上昇する。
【００６６】
この上昇渦流は、排水枡３１（図１参照）の上面に装着された排水口カバー３２付近まで上昇する。上昇渦流により、排水枡３１の内周面やヘアキャッチャー１１に付着しているゴミや髪の毛は、良好に落とされる。ゴミや髪の毛は、渦の中心に集められて、渦の中心から下方へ落下する。そして、ゴミや髪の毛は、ヘアキャッチャー１１の底面の中央部に集められる。これにより、ヘアキャッチャー１１は、その中央部分以外に髪の毛が付着していない状態に保たれ、且つ、ヘアキャッチャー１１の内面及び外面に付着しているヌメリ等を除去できる。その結果、ヘアキャッチャー１１は、通水が良好となる。また、受入室６の内周面に付着しているヌメリ等も除去できる。
【００６７】
ここで、図３に示すように、上昇管８３は、管状に形成され、区画プレート６５に沿って上方に延びている。そのため、浴槽排水を、上昇管８３の管状の部分の内部を通らせて、受入室６の内部の上方に導入できる。これにより、受入室６の内部の上部、すなわち、ヘアキャッチャー１１の付近に強力な渦流が形成される。よって、ヘアキャッチャー１１の内部のゴミが効率よく中心付近に集められると共に、ヘアキャッチャー１１が強力な渦流によって洗浄される。
【００６８】
また、図３に示すように、受入室６の内面は、略球面状である。そのため、浴槽排水を受入室６の略球面状の内面に沿って導入することで、渦流を勢いよく発生させることができる。
【００６９】
また、図３に示すように、浴槽排水流入口６２は、受入室６の略球面状の内面の接線方向に向けて浴槽排水を排出するように開口する。そのため、浴槽排水を受入室６の略球面状の内面の接線方向に導入することで、浴槽排水を、その水の勢いを維持して、上昇管８３を経て浴槽排水流入口６２から受入室６の内部に流入することができる。これにより、受入室６の内面に沿うように渦流が発生するため、渦流を勢いよく発生させることができる。
【００７０】
また、図３に示すように、導入管８１からバイパス管８２に分岐した浴槽排水は、排水流出口７２から、外部導出排出管１３に流出される。このため、上昇管８３へ分岐させる浴槽排水の流量を調整して、受入室６から洗い場排水及び浴槽排水が溢れ出すことを抑制できる。また、浴槽２の浴槽排水を短時間で排出できる。
【００７１】
次に、区画プレート６５及び上昇管８３を取り外した場合の作用について説明する。
従来、浴室を新たに設置するようなリフォームを行う場合、排水流路に新たな排水トラップを設けることがある。ここで、新たな排水トラップを設けた排水流路において、既に排水トラップが設けられていると、排水の流れの抵抗が増大して、排水不良の原因となる。このように、排水流路（配管）に直列に２個以上の排水トラップが存在する構造を、二重トラップ構造又はダブルトラップ構造という。
【００７２】
二重トラップ構造（ダブルトラップ構造）となっている場合に、二重トラップ構造を解消する必要性が生じる。この場合において、本発明においては、図３及び図５に示す状態から図６及び図７に示す状態に、受入室６と流出室７との間から区画プレート６５を取り外すことができる。具体的には、本実施形態においては、区画プレート６５及び上昇管８３を、一体的に、受入室６から取り外すことができる。
【００７３】
図６及び図７に示すように、区画プレート６５を受入室６７と流出室７との間から取り外すと、受入室６と流出室７との区画が開放され、トラップ解除開口６８が形成される。区画プレート６５の上端部６５１は、区画プレート６５が受入室６７と流出室７との間に取り付けられた場合に、排水流出口７２の下端部７２１よりも高い位置に位置する。そのため、トラップ解除開口６８の上端部６８１は、排水流出口７２の下端部７２１よりも高い位置に位置する。
【００７４】
従って、封水が封水面Ｆまで溜まっていても、封水面Ｆ（図３及び図６参照）の高さよりも上方側に受入室６７と流出室７とを連通する連通空間が形成される。そのため、排水トラップ５においては、封水の上方に空気が通過する十分大きな連通空間が確保され、封水で排水流路が塞がれなくなる。よって、区画プレート６５を取り外すことにより、二重トラップ構造を解消できる。
【００７５】
また、図６及び図７に示すように、区画プレート６５及び上昇管８３を、一体的に、受入室６と流出室７との間から取り外すことができるため、バイパス管８２や連通口６３付近等の清掃及び点検等のメンテナンス作業を容易に行うことができる。また、区画プレート６５及び上昇管８３の清掃及び点検等のメンテナンス作業も容易に行うことができる。
【００７６】
具体的には、受入室６７の上部に装着されたヘアキャッチャー１１（図１参照）を外し、図３及び図５に示す状態から、連通口６３から流出室７側に指を差し入れて、区画プレート６５を掴んで回すことで、受入室６から、区画プレート６５及び上昇管８３を、一体的に、図６及び図７に示す状態に、取り外すことができる。取り外した区画プレート６５及び上昇管８３を装着するときには、連通口６３に対応する部分で区画プレート６５を指で掴んで、区画プレート６５を受入室６の壁部材に係合させて、上昇管８３の下端部を、浴槽排水流通管８の連結部開口８１２（図６及び図７参照）に取り付けて、装着することができる。
【００７７】
以上説明した本実施形態の排水トラップ５によれば、以下のような効果を奏する。
本実施形態の排水トラップ５は、上方から導入される洗い場排水を流入させる洗い場排水流入口６１と、側方から導入される浴槽排水を流入させる浴槽排水流入口６２と、流入された洗い場排水及び浴槽排水を流出させる連通口６３と、を有する受入室６と、連通口６３から流出された洗い場排水及び浴槽排水を流入させる連通口６３と、連通口６３よりも上方において水平方向に開口され連通口６３から流入された洗い場排水及び浴槽排水を流出させる排水流出口７２と、を有する流出室７と、浴槽排水が導入される導入路８１と、上流側が導入管８１に接続されると共に下流側が排水流出口７２側に位置するバイパス管８２と、上流側が導入管８１に接続されると共に下流側が浴槽排水流入口６２に接続される上昇管８３と、を有する浴槽排水流通管８と、受入室６と流出室７との間に着脱自在に配置され、受入室６と流出室７とを区画する区画プレート６５と、を備え、区画プレート６５の上端部６５１の高さは、排水流出口７２の下端部７２１の位置よりも高い。
【００７８】
そのため、排水流出口７２が連通口６３よりも上方において水平方向に開口されるため、受入室６及び流出室７の内部には、封水面Ｆまで封水が溜まる。封水面Ｆまで溜まった封水の内部には、連通口６３が位置するため、排水流路が封水により塞がれる。これにより、浴室１に、外部導出排出管１３からの臭気が逆流することが防止される。また、浴室１に、害虫等が侵入することが防止される。
【００７９】
また、浴槽排水は、上昇管８３を通って、浴槽排水流入口６２を介して、受入室６に流入される。受入室６に流入された浴槽排水は、受入室６の内周面に沿って旋回して渦流となり、発生した渦流は、上昇渦流となり上昇する。これにより、ヘアキャッチャー１１は、その中央部分以外に髪の毛が付着していない状態に保たれ、且つ、ヘアキャッチャー１１の内面及び外面に付着しているヌメリ等を除去できる。これにより、ヘアキャッチャー１１は、通水が良好となる。
【００８０】
また、区画プレート６５は、受入室６と流出室７と間に着脱自在に配置される。そのため、区画プレート６５を受入室６と流出室７との間から取り外すだけで、簡単に、二重トラップ構造を解消できる。
【００８１】
以上により、本発明は、封水を溜めて排水流路を塞ぐ機能と、渦流を発生させる機能とを併せて備え、更に、二重トラップ構造を簡単に解消できる構造を備えることができる。
【００８２】
また、本実施形態においては、バイパス管８２は、導入管８１を流通する浴槽排水を、受入室６を迂回して排水流出口７２に案内するように延びている。そのため、バイパス管８２は、上昇管８３へ分岐させる浴槽排水の流量を調整して、受入室６から洗い場排水及び浴槽排水が溢れ出すことを抑制できる。また、バイパス管８２は、浴槽２の浴槽排水を短時間で排出できる。
【００８３】
また、上昇管８３は、導入管８１を流通する浴槽排水を、受入室６の内部の上方において渦流を発生させるように、浴槽排水流入口６２に案内するように延びている。そのため、上昇管８３により受入室６の内部の上方において渦流を発生させて、受入室６の内部の上部、すなわち、ヘアキャッチャー１１の付近に強力な渦流が形成される。これにより、ヘアキャッチャー１１の内部のゴミが効率よく中心付近に集められると共に、ヘアキャッチャー１１が強力な渦流によって洗浄される。
【００８４】
また、本実施形態においては、上昇管８３は、管状に形成され、区画プレート６５に沿って上方に延びている。そのため、浴槽排水を、上昇管８３の管状の内部を通らせて、受入室６の内部の上方に導入できる。これにより、受入室６の内部の上部、すなわち、ヘアキャッチャー１１の付近に強力な渦流が形成される。これにより、ヘアキャッチャー１１の内部のゴミが効率よく中心付近に集められると共に、ヘアキャッチャー１１が強力な渦流によって洗浄される。
【００８５】
また、本実施形態においては、上昇管８３は、区画プレート６５と一体的に形成される。そのため、上昇管８３と区画プレート６５とは、一体的に、受入室６と流出室７との間から取り外すことができるため、バイパス管８２や連通口６３付近等の清掃及び点検等のメンテナンス作業を容易に行うことができる。また、区画プレート６５及び上昇管８３の清掃及び点検等のメンテナンス作業も容易に行うことができる。
【００８６】
また、本実施形態においては、受入室６の内面は、略球面状である。そのため、浴槽排水を受入室６の略球面状の内面に沿って導入することで、渦流を勢いよく発生させることができる。
【００８７】
また、本実施形態においては、浴槽排水流入口６２は、受入室６の内面の接線方向に向けて浴槽排水を排出するように開口する。そのため、浴槽排水を受入室６の略球面状の内面の接線方向に導入することで、受入室６の内面に沿うように渦流が発生するため、渦流を勢いよく発生させることができる。
【００８８】
また、本実施形態においては、排水トラップ５と、浴槽２と、洗い場パン３と、を備える浴室１である。そのため、新たに浴室１を設置した場合において、二重トラップ構造を解消できる。また、排水トラップ５を浴室１に備えることにより、ヘアキャッチャー１１に付着したゴミや髪の毛の除去作業の頻度が少なくなり、浴室１の清掃の手間が軽減される。
【００８９】
以上、本発明の排水トラップの好ましい一実施形態について説明したが、本発明は、上述した実施形態に制限されるものではなく、適宜変更が可能である。
例えば、前記実施形態では、受入室６の内面を、略球面状に形成したが、これに限られない。例えば、受入室６の内面を、略筒状に形成してもよい。
【００９０】
また、前記実施形態では、受入室６の受入側流出口と、流出室７の流出側流入口とを共通の連通口６３としたが、これに限られない。例えば、流出室７の流出側流入口と間に接続管を配置して、接続管の一端部を受入室６の受入側流出口とし、接続管の他端部を流出室７の流出側流入口としてもよい。
【符号の説明】
【００９１】
１  浴室
２  浴槽
３  洗い場パン（洗い場）
５  排水トラップ
６  受入室
７  流出室
８  浴槽排水流通管（第２排水流通路）
６１  洗い場排水流入口（第１排水流入口）
６２  浴槽排水流入口（第２排水流入口）
６３  連通口（受入側流出口、流出側流入口）
６５  区画プレート（区画部材）
７２  排水流出口（流出側流出口）
８１  導入管（導入路）
８２  バイパス管（第１分岐流路）
８３  上昇管（第２分岐流路）
【図１】
0006552825.tif 000002
【図２】
0006552825.tif 000003
【図３】
0006552825.tif 000004
【図４】
0006552825.tif 000005
【図５】
0006552825.tif 000006
【図６】
0006552825.tif 000007
【図７】
0006552825.tif 000008